(57)【要約】      （修正有）【課題】椅子肘掛けの肘掛け上面板の上下移動が可能な椅子肘掛けの昇降構造を提供する。【解決手段】係止棒２２の押圧部２２２を押圧すると、係止棒２２の底端に設けてある係止縁２２５が、左右被覆体２４ａ，２４ｂに設置された係止溝２４２ａ，２４２ｂから脱離し、肘掛けの位置が上下に移動し、押圧部２２２を離すと、係止縁２２５が、再び係止溝２４２ａ，２４２ｂに係止されて、肘掛けの位置が調整された位置に固定される。【選択図】図２
0003159595.tif 000002
【実用新案登録請求の範囲】
【請求項１】
一側の前後に、それぞれ対応するピン孔が形成されて、昇降構造が貫設され、適当な位置に螺旋溝が形成された肘掛け上面板と、昇降構造と、頂部に昇降構造の結合体をロックするための螺旋溝が形成され、中央に肘掛けフレームが貫設され、他側に、肘掛け上面板をロックするための貫通孔が形成されたスリーブと、肘掛けフレームとからなる椅子肘掛けの昇降構造であって、
昇降構造が、結合体、係止棒、弾性素子及び左右被覆体を有し、結合体においてその頂部の適当な位置に若干の貫通孔が形成され、その底面の適当な位置に係止棒の頂部が嵌入する収納溝が形成され、係止棒が形状の主体を有し、主体の頂面が円弧面を形成し、上記円弧面の一端に押圧部を設けてあり、他端に棒状部があり、押圧部の頂面の中心に弾性素子が挿入されるための円状溝が設けられてあり、主体の底端に係止縁が形成されてあり、  左右被覆体が二つの互いに対応する対応体からなり、上記左右被覆体の平面側において適当な位置に、それぞれ若干の凸縁が形成され、前記凸縁の間隔を利用して係止溝が形成され、左被覆体の平面の両側に、それぞれ若干の円形棒が設置され、右被覆体の平面の両側において、左被覆体に設置された円形棒に対応する位置に若干の円状溝が設置され、左右被覆体の一側において、適当な位置に、それぞれ対応するピン孔が形成され、係止棒の底端にある係止縁の両側が、それぞれ、左右被覆体のその一つの係止溝に合わせて、左被覆体の円形棒が右被覆体の円状溝に係合し、係止棒の押圧部の円状溝に弾性素子が収納された後、係止棒の頂部が結合体の底部に設けてある収納溝内に位置するようになり、
スリーブの中空部の一側において、適当な位置に昇降構造の係止棒の押圧部が貫設される受け入れ孔が形成され、
肘掛けフレームがスリーブに貫設された後、昇降構造が肘掛けフレームの中空部に位置し、左右被覆体の対応するピン孔と肘掛けフレームに穿設されたピン孔とが一致してから、ピンを挿設し、昇降構造の左右被覆体が肘掛けフレームに結合され、昇降構造の結合体とスリーブとがロックされ、昇降構造の係止棒の押圧部がスリーブの受け入れ孔に貫設され、肘掛け上面板とスリーブとがロックされることを特徴とする椅子肘掛けの昇降構造。
【請求項２】
押圧係止棒の押圧部において、係止棒がその棒状部を支点として所定の角度を回転すると、その底端の係止縁が左右被覆体の係止溝から脱離し、肘掛け上面板が上下に変位することができ、必要とする位置に調整してから係止棒の押圧部を解放すると、弾性素子の回復力により元の位置に戻り、同時に、係止棒がその棒状部を支点として元の位置まで回転し、これにより、その底端の係止縁が再び左右被覆体の係止溝に係止され、肘掛け上面板が上記の調整済みの位置に固定されることを特徴とする請求項１に記載の椅子肘掛けの昇降構造。
【考案の詳細な説明】
【技術分野】
【０００１】
本考案は、椅子肘掛けに関するものであり、さらに詳しくは、スムーズに変位ができ、昇降調整と位置決めが可能な椅子肘掛けの昇降構造に関するものである。
【背景技術】
【０００２】
一般の市販の椅子においては、その肘掛けの昇降構造は、歯部を有する板体が、肘掛け結合座の空間内で、摺動しながら、予め設置された係止ピンに係止することにより、肘掛けが昇降することにより位置決めを行うものである。
【０００３】
従来、椅子肘掛けは、座席の両側に取り付けられ、固定されたものである。従って、座者の体形または異なる姿勢に応じて最適な肘掛け位置を提供することができなかった。
【０００４】
かかる状況下において、特許文献１によれば、座者の姿勢に応じて調整するものとして、例えば、椅子の前後方向に位置を移動調整できる椅子肘掛けが提案されている。
しかし、かかる提案は、肘掛けの前後方向への位置の移動調整のみを可能とするものであり、肘掛けの位置を上下に移動調整することはできなかった。
【特許文献１】実用新案登録第３００４６６３号公報
【考案の開示】
【考案が解決しようとする課題】
【０００５】
従って、本考案の課題は、ユーザーのニーズに応じて椅子肘掛けの位置を上下方向へ移動調整可能な構造を提供する点にある。
【課題を解決するための手段】
【０００６】
そこで、本考案者は、前記の本考案の課題を解決するために鋭意検討を重ねた結果、後述のように肘掛け上面板を支持する係止棒の押圧部を押圧すると係止棒の底端の係止縁が、左右被覆体に設けてある係止溝から脱離し、肘掛けの位置が上下に調整できる構造に着目し、かかる知見に基づいて本考案に想到した。
【０００７】
すなわち、本考案の主な目的は、ユーザーのニーズに応じて、肘掛け上面板の位置が、上下に調整されて、調整した位置に固定され、ユーザーの手部が、優れた支持を得られ、快適感が向上する椅子肘掛けの昇降構造を提供する点にある。
【０００８】
また、本考案の他の目的は、係止棒の押圧部を押圧すると、係止棒の底端に形成された係止縁が、左右被覆体に形成された係止溝から脱離し、肘掛けの位置が、上下に調整でき、係止棒の押圧部を離すと、係止棒の底端に形成された係止縁が、再び、左右被覆体に形成された係止溝に係止されて、調整された位置に固定され、使用上、非常に便利で、省力できる椅子肘掛けの昇降構造を提供する点にある。
【０００９】
かくして、本考案によれば、
請求項１において、一側の前後に、それぞれ、対応するピン孔が形成されて、昇降構造が貫設され、適当な位置に、螺旋溝が形成される肘掛け上面板と、昇降構造と、頂部に、昇降構造の結合体をロックするための螺旋溝が形成され、中央に、肘掛けフレームが貫設され、他側に、肘掛け上面板をロックするための貫通孔が形成されるスリーブと、肘掛けフレームとからなる椅子肘掛けの昇降構造であって、
昇降構造が結合体と係止棒、弾性素子及び左右被覆体を有し、結合体においてその頂部の適当な位置に若干の貫通孔が形成され、その底面の適当な位置に係止棒の頂部が突入する収納溝が形成され、係止棒が形状の主体を有し、主体の頂面が円弧面になり、上記円弧面の一端に押圧部が設けてあり、他端に棒状部があり、押圧部の頂面の中心に弾性素子が設置されるための円状溝が設けられてあり、主体の底端に係止縁があり、左右被覆体が二つの互いに対応する対応体からなり、上記左右被覆体の平面側において適当な位置に、それぞれ、若干の凸縁が形成され、前記凸縁の間隔を利用して係止溝が形成され、左被覆体の平面の両側に、それぞれ、若干の円形棒が設置され、右被覆体の平面の両側において、左被覆体に設置された円形棒に対応する位置に若干の円状溝が設置され、左右被覆体の一側において、適当な位置に、それぞれ、対応するピン孔が形成され、係止棒の底端にある係止縁の両側が、それぞれ、左右被覆体のその一つの係止溝に合わせて、左被覆体の円形棒が右被覆体の円状溝に係合し、係止棒の押圧部の円状溝に弾性素子が収納された後、係止棒の頂部が結合体の底部に設けてある収納溝内に位置するようになり、
スリーブの中空部の一側において、適当な位置に昇降構造の係止棒の押圧部が貫設される受け入れ孔が形成され、
肘掛けフレームがスリーブに貫設された後、昇降構造が肘掛けフレームの中空部に位置し、左右被覆体の対応するピン孔と肘掛けフレームに形成されたピン孔とが一致してから、ピンを挿設し、昇降構造の左右被覆体が肘掛けフレームに結合され、昇降構造の結合体とスリーブとがロックされ、昇降構造の係止棒の押圧部がスリーブの受け入れ孔に貫設され、肘掛け上面板とスリーブとがロックされてなることを特徴とする椅子肘掛けの昇降構造が提供される。
【００１０】
請求項２に係る考案によれば、押圧係止棒の押圧部において、係止棒がその棒状部を支点として所定の角度を回転すると、その底端の係止縁が左右被覆体の係止溝から脱離し、肘掛け上面板が上下に変位でき、必要とする位置に調整してから係止棒の押圧部を解放すると、弾性素子の回復力により元の位置に戻る。同時に、係止棒がその棒状部を支点として元の位置まで回転し、これにより、その底端の係止縁が再び左右被覆体の係止溝に係止され、肘掛け上面板が上記の調整済みの位置に固定されることを特徴とする請求項１に記載の椅子肘掛けの昇降構造が提供される。
【考案の効果】
【００１１】
本考案に係る椅子肘掛けは、前記の如き構成からなるものであり、押圧部を押圧する簡便な操作により肘掛け上面板の上下方向への移動調整を容易に行うことができる。      
【考案を実施するための最良の形態】
【００１２】
以下、図面を参照しながら、本考案の特徴や技術内容について、詳しく説明する。もっとも、それらの図面等は、参考や説明のためであり、本考案は、それらによって限定されるものではない。
【００１３】
本考案に係る椅子肘掛けの昇降構造は、図１乃至図４で示すように、少なくとも肘掛け上面板１と昇降構造２、スリーブ３及び肘掛けフレーム４から構成される。
【００１４】
また、肘掛け上面板１には、適当な位置に、スリーブ３をロックする螺旋溝１０を設けてある。
【００１５】
昇降構造２には、結合体２１と係止棒２２、弾性素子２３及び左右被覆体２４ａ、２４ｂが構成要素として含有される。結合体２１は、その頂部において、適当な位置に、若干の貫通孔２１０があり、その底面において、適当な位置に、係止棒２２の頂部が収納される収納溝２１１を形成してある。係止棒２２は、主体２２０を有し、主体２２０の頂面が円弧面２２１を形成し、上記円弧面２２１の一端に押圧部２２２を有し、他端に棒状部２２３を有する。
押圧部２２２の頂面の中心に、弾性素子２３が嵌入する円状溝２２４を設けてある。主体２２０の底端に、断面がＩ形状である係止縁２２５を設けてある。左右被覆体２４ａ、２４ｂは、二つの対応体である。上記左右被覆体２４ａ、２４ｂは、平面側において、適当な位置にそれぞれ、若干の凸縁２４１ａ、２４１ｂがあり、上記凸縁２４１ａ、２４１ｂの間にそれぞれ、係止溝２４２ａ、２４２ｂを形成してある。左被覆体２４ａは、平面の両側にそれぞれ、若干の円形棒２４３が設置され、右被覆体２４ｂは平面の両側において、左被覆体２４ａに設置された円形棒２４３に対応する位置に、若干の円状溝２４４が設置される。左右被覆体２４ａ、２４ｂの一側において、適当な位置に、それぞれ対応するピン孔２４５ａ、２４５ｂを穿設してある。係止棒２２の底端に形成させたＩ形状である係止縁２２５の両側は、それぞれ左右被覆体２４ａ、２４ｂの一つの係止溝２４２ａ、２４２ｂに係止される。また、左被覆体２４ａの円形棒２４３が右被覆体２４ｂの円状溝２４４に嵌入し、これにより、左右被覆体２４ａ、２４ｂが結合され、この時、左右被覆体２４ａ、２４ｂのピン孔２４５ａ、２４５ｂが一致する。係止棒２２の押圧部２２２の円状溝２２４内に、弾性素子２３が収容された後、係止棒２２の頂部が、結合体２１の底部にある収納溝２１１内に位置することにより、昇降構造２が組立てられる。
【００１６】
スリーブ３は、その頂部に、昇降構造２の結合体２１がロックされるための螺旋溝３０があり、その中心に、肘掛けフレーム４が貫設される中空部３１が形成される。前記中空部３１の一側において、適当な位置に、受け入れ孔３３が穿設され、受け入れ孔３３の一側に、肘掛け上面板１がロックされる貫通孔３２が設置される。
【００１７】
肘掛けフレーム４は、組立てられた昇降構造２の係止棒２２と左右被覆体２４ａ、２４ｂが貫設される中空部４０を有し、その一側において、前後に、対応するピン孔４１、４２が穿設される。
【００１８】
肘掛けフレーム４が、スリーブ３の中空部３１に挿設された後、組立てられた昇降構造２を、肘掛けフレーム４の中空部４０に挿設し、左右被覆体２４ａ、２４ｂの対応するピン孔２４５ａ、２４５ｂが、肘掛けフレーム４に設置されたピン孔４１、４２と一致するようにしてから、ピン５を貫設すると、昇降構造２の左右被覆体２４ａ、２４ｂと肘掛けフレーム４とが結合される。同時に、昇降構造２の結合体２１に設置された貫通孔２１０が、スリーブ３の頂部にある螺旋溝３０と一致し、ネジ６でロックすると、昇降構造２の係止棒２２の押圧部２２２が、スリーブ３にある受け入れ孔３３に挿設される。更に、肘掛け上面板１の螺旋溝１０をスリーブ３の貫通孔３２に一致させてから、ネジ７でロックすると、椅子肘掛けの昇降構造が構成する。この時、昇降構造２の係止棒２２の底端にある係止縁２２５の両側が、それぞれ、左右被覆体２４ａ、２４ｂの一つの係止溝２４２ａ、２４２ｂ内に係止される。
【００１９】
本考案によれば、図５乃至図７に示すように、押圧係止棒２２の押圧部２２２により、係止棒２２は、結合体２１の底部の収納溝２１１に位置する棒状部２２３を、支点として、所定の角度を回転すると、その底端の係止縁２２５が、左右被覆体２４ａ、２４ｂの係止溝２４２ａ、２４２ｂから脱離し、係止棒２２が、上下に変位し、それに連動して、係止棒２２に結合された結合体２１やスリーブ３及び肘掛け上面板１が、ともに、上下に変位でき、必要とする位置に変位した後、係止棒２２の押圧部２２２を離すと、係止棒２２の押圧部２２２が、弾性素子２３の回復力により、元の位置に戻り、同時に、係止棒２２が、その棒状部２２３を支点として、元の位置に戻り、これにより、底端に設けてある係止縁２２５の両側が、再び、それぞれ、左右被覆体２４ａ、２４ｂの係止溝２４２ａ、２４２ｂに係止され、肘掛け上面板１とスリーブ３が、調整された位置に固定される。
【図面の簡単な説明】
【００２０】
【図１】本考案の一実施形態による椅子肘掛け昇降構造の斜視図である。
【図２】本考案の一実施形態による椅子肘掛け昇降構造（一）の分解斜視図である。
【図３】本考案の一実施形態による椅子肘掛け昇降構造（二）の分解斜視図である。
【図４】図１に示す本考案の椅子肘掛け昇降構造の４−４断面図である。
【図５】図１に示す本考案の椅子肘掛け昇降構造の４−４断面作動概念図である。
【図６】本考案の一実施形態による椅子肘掛け昇降構造（一）の作動状態を示す一部分解斜視図である。
【図７】本考案の一実施形態による椅子肘掛け昇降構造（二）の作動状態を示す一部分解斜視図である。
【符号の説明】
【００２１】
１        肘掛け上面板
１０      螺旋溝
２        昇降構造
２１      結合体
２１０    貫通孔
２１１    収納溝
２２      係止棒
２２０    主体
２２１    円弧面
２２２    押圧部
２２３    棒状部
２２４    円状溝
２２５    係止縁
２３      弾性素子
２４ａ    左被覆体
２４ｂ    右被覆体
２４１ａ  凸縁
２４１ｂ  凸縁
２４２ａ  係止溝
２４２ｂ  係止溝
２４３    円形棒
２４４    円状溝
２４５ａ  ピン孔
２４５ｂ  ピン孔
３        スリーブ
３０      螺旋溝
３１      中空部
３２      貫通孔
３３      受け入れ孔
４        肘掛けフレーム
４０      中空部
４１      ピン孔
４２      ピン孔
５        ピン
６        ネジ
７        ネジ
【図１】
0003159595.tif 000003
【図２】
0003159595.tif 000004
【図３】
0003159595.tif 000005
【図４】
0003159595.tif 000006
【図５】
0003159595.tif 000007
【図６】
0003159595.tif 000008
【図７】
0003159595.tif 000009